(57)【要約】【課題】  人手を要することなく各図形イメージを自動的に所期の部位へ配置することを可能とし、図形レイアウトの処理速度を効率良く大幅に向上させることのできる図形作成装置及び方法を提供する。【解決手段】  各図形イメージに付随データとして重畳係数を割り当てておき、配置データ生成部１０４により、各付随データに基づいて、対応する各図形イメージを画面上で所定部位に自動的に配置する。【選択図】  図１
2006154887.tif 000002
【特許請求の範囲】
【請求項１】
複数の図形イメージのデータを格納する第１の格納手段と、
前記各図形イメージに割り当てられた付随データを格納する第２の格納手段と、
前記各付随データに基づいて、前記各図形イメージを画面上で配置するイメージ配置手段と
を含むことを特徴とする図形作成装置。
【請求項２】
前記付随データは、前記各図形イメージ間の重畳の度合いを示す重畳係数であり、
前記イメージ配置手段は、前記各重畳係数に基づいて、前記各図形イメージ間の重畳の度合いが最小となるように、前記各図形イメージを配置することを特徴とする請求項１に記載の図形作成装置。
【請求項３】
前記重畳係数は、前記各図形イメージの仮想的な奥行き方向距離を要素とする数値であることを特徴とする請求項２に記載の図形作成装置。
【請求項４】
前記各図形イメージの画像濃度を用いて、前記各図形イメージの仮想的な奥行き方向距離を要素とする前記重畳係数を算出する重畳係数算出手段を更に含むことを特徴とする請求項３に記載の図形作成装置。
【請求項５】
前記各図形イメージの仮想的な奥行き方向距離を要素とする前記重畳係数は、前記図形イメージが近景のものであるほど大きい値となるように規定されていることを特徴とする請求項４に記載の図形作成装置。
【請求項６】
前記イメージ配置手段は、前記各図形イメージを仮配置し、前記各図形イメージを相対的に移動させながら前記各図形イメージのデータ列から前記各図形イメージ間の重畳の度合いを算出し、前記重畳の度合いが最小となる配置を決定することを特徴とする請求項１〜５のいずれか１項に記載の図形作成装置。
【請求項７】
各々付随データが付加された複数の図形イメージのうちから、所定の図形イメージを読み出すステップと、
前記付随データに基づいて、前記各図形イメージを画面上で自動的に配置するステップと
を含むことを特徴とする図形作成方法。
【請求項８】
前記付随データは、前記各図形イメージ間の重畳の度合いを示す重畳係数であり、
前記各図形イメージを自動的に配置するステップにおいて、前記各重畳係数に基づいて、前記各図形イメージ間の重畳の度合いが最小となるように、前記各図形イメージを配置することを特徴とする請求項７に記載の図形作成方法。
【請求項９】
前記重畳係数は、前記各図形イメージの仮想的な奥行き方向距離を要素とする数値であることを特徴とする請求項８に記載の図形作成方法。
【請求項１０】
前記各図形イメージの画像濃度を用いて、前記各図形イメージの仮想的な奥行き方向距離を要素とする前記重畳係数を算出するステップを更に含むことを特徴とする請求項９に記載の図形作成方法。
【請求項１１】
前記各図形イメージの仮想的な奥行き方向距離を要素とする前記重畳係数は、前記図形イメージが近景のものであるほど大きい値となるように規定されていることを特徴とする請求項１０に記載の図形作成方法。
【請求項１２】
前記各図形イメージを自動的に配置するステップにおいて、前記各図形イメージを仮配置し、前記各図形イメージを相対的に移動させながら前記各図形イメージのデータ列から前記各図形イメージ間の重畳の度合いを算出し、前記重畳の度合いが最小となる配置を決定することを特徴とする請求項７〜１１のいずれか１項に記載の図形作成方法。
【請求項１３】
コンピュータを請求項１〜６のいずれか１項に記載の図形作成装置の各手段として機能させるためのプログラムを記録したコンピュータ読み取り可能な記録媒体。
【請求項１４】
コンピュータを請求項１〜６のいずれか１項に記載の図形作成装置の各手段として機能させるためのプログラム。
【請求項１５】
コンピュータに請求項７〜１２のいずれか１項に記載の図形作成方法の各ステップを実現させるためのプログラムを記録したコンピュータ読み取り可能な記録媒体。
【請求項１６】
コンピュータに請求項７〜１２のいずれか１項に記載の図形作成方法の各ステップを実現させるためのプログラム。
【発明の詳細な説明】
【技術分野】
【０００１】
本発明は、図形イメージを所望に配置（レイアウト）する図形作成装置及び方法、並びに記録媒体及びプログラムに関する。
【背景技術】
【０００２】
従来の図形レイアウトシステムでは、配置する図形の位置を人手により指定したり、予め指定されている場所に図形を配置したりする方式を採っている。
例えば、特許文献１には、引出線を描画するに際して、引出線の開始点と、文字列の挿入開始点と、文字列の記入方向を示す方向点とを人手により画面上で指定する手法が開示されている。
【０００３】
【特許文献１】特開２００１−１１８０７９号公報
【発明の開示】
【発明が解決しようとする課題】
【０００４】
従来の図形レイアウトシステムでは、複数の図形イメージを一画面上に重ねて配置する場合、各図形イメージの内容、即ち各図形イメージの重要度、遠近、形状等をオペレータが考慮して配置する必要がある、そのため、各図形イメージの配置に手間が掛かり、長時間を要するという問題がある。
【０００５】
本発明は、上記の課題に鑑みてなされたものであり、人手を要することなく各図形イメージを自動的に所期の部位へ配置することを可能とし、図形レイアウトの処理速度を効率良く大幅に向上させることのできる図形作成装置及び方法、並びに記録媒体及びプログラムを提供することを目的とする。
【課題を解決するための手段】
【０００６】
本発明の図形作成装置は、複数の図形イメージのデータを格納する第１の格納手段と、前記各図形イメージに割り当てられた付随データを格納する第２の格納手段と、前記各付随データに基づいて、前記各図形イメージを画面上で配置するイメージ配置手段とを含む。
【０００７】
本発明の図形作成装置の一態様では、前記付随データは、前記各図形イメージ間の重畳の度合いを示す重畳係数であり、前記イメージ配置手段は、前記各重畳係数に基づいて、前記各図形イメージ間の重畳の度合いが最小となるように、前記各図形イメージを配置する。
【０００８】
本発明の図形作成装置の一態様では、前記重畳係数は、前記各図形イメージの仮想的な奥行き方向距離を要素とする数値である。
【０００９】
本発明の図形作成装置の一態様では、前記各図形イメージの画像濃度を用いて、前記各図形イメージの仮想的な奥行き方向距離を要素とする前記重畳係数を算出する重畳係数算出手段を更に含む。
【００１０】
本発明の図形作成装置の一態様では、前記各図形イメージの仮想的な奥行き方向距離を要素とする前記重畳係数は、前記図形イメージが近景のものであるほど大きい値となるように規定されている。
【００１１】
本発明の図形作成装置の一態様では、前記イメージ配置手段は、前記各図形イメージを仮配置し、前記各図形イメージを相対的に移動させながら前記各図形イメージのデータ列から前記各図形イメージ間の重畳の度合いを算出し、前記重畳の度合いが最小となる配置を決定する。
【００１２】
本発明の図形作成方法は、各々付随データが付加された複数の図形イメージのうちから、所定の図形イメージを読み出すステップと、前記付随データに基づいて、前記各図形イメージを画面上で自動的に配置するステップとを含む。
【００１３】
本発明の図形作成方法の一態様では、前記付随データは、前記各図形イメージ間の重畳の度合いを示す重畳係数であり、前記各図形イメージを自動的に配置するステップにおいて、前記各重畳係数に基づいて、前記各図形イメージ間の重畳の度合いが最小となるように、前記各図形イメージを配置する。
【００１４】
本発明の図形作成方法の一態様では、前記重畳係数は、前記各図形イメージの仮想的な奥行き方向距離を要素とする数値である。
【００１５】
本発明の図形作成方法の一態様では、前記各図形イメージの画像濃度を用いて、前記各図形イメージの仮想的な奥行き方向距離を要素とする前記重畳係数を算出するステップを更に含む。
【００１６】
本発明の図形作成方法の一態様では、前記各図形イメージの仮想的な奥行き方向距離を要素とする前記重畳係数は、前記図形イメージが近景のものであるほど大きい値となるように規定されている。
【００１７】
本発明の図形作成方法の一態様では、前記各図形イメージを自動的に配置するステップにおいて、前記各図形イメージを仮配置し、前記各図形イメージを相対的に移動させながら前記各図形イメージのデータ列から前記各図形イメージ間の重畳の度合いを算出し、前記重畳の度合いが最小となる配置を決定する。
【００１８】
本発明の記録媒体は、コンピュータを前記図形作成装置の各手段として機能させるためのプログラムを記録したコンピュータ読み取り可能なものである。
【００１９】
本発明のプログラムは、コンピュータを前記図形作成装置の各手段として機能させるためのものである。
【００２０】
本発明の記録媒体は、コンピュータに前記図形作成方法の各ステップを実現させるためのプログラムを記録したコンピュータ読み取り可能なものである。
【００２１】
本発明のプログラムは、コンピュータに前記図形作成方法の各ステップを実現させるためのものである。
【発明の効果】
【００２２】
本発明によれば、人手を要することなく各図形イメージを自動的に所期の部位へ配置することが可能となり、図形レイアウトの処理速度を効率良く大幅に向上させることができる。
【発明を実施するための最良の形態】
【００２３】
以下、本発明を適用した好適な諸実施形態について、図面を参照しながら詳細に説明する。
−第１の実施形態−
（図形作成装置の構成）
図１は、第１の実施形態による図形作成装置の概略構成を示す模式図である。
本実施形態の図形作成装置は、コンピュータのＣＰＵやメモリ、ハードディスクなどの本体１０１と、複数の図形イメージのデータが格納されるイメージデータ格納部１０２と、イメージデータ格納部１０２に格納された各図形イメージに割り当てられた付随データが格納される付随データ格納部１０３と、各付随データに基づいて、対応する各図形イメージを画面上で配置する配置データ生成部１０４と、外部と各種データの入出力を行うデータ入出力部１０５と、配置された各図形イメージを画面上で確認するためのモニタなどの表示装置１０６と、キーボードやマウス、音声入力手段などの、各種データの入力装置１０７と、配置された各図形イメージからなる画像を出力するプリンタ１０８とを備えて構成されている。
【００２４】
本体１０１は、ここでは例えばＣＰＵであり、装置全体の動作を制御している。
各図形イメージは、例えば図２（ａ）に示すように、画面上でいくつかの線画の集合から構成されるパターンである。イメージデータ格納部１０２には、予め作成された図２（ａ）のような複数の図形イメージが例えば"０"，"１"からなるビット（ここでは２ビット）のデータの集合として記憶されている。
【００２５】
各付随データは、各図形イメージに割り当てられるものであり、各図形イメージ間の重畳の度合いを示す重畳係数である。重畳係数としては、例えば２ビットデータの場合、図２（ｂ）に示すように、図２（ａ）の図形パターン内を塗りつぶす（例えば"１"）ように表現されるデータである。配置データ生成部１０４は、複数の図形イメージを一画面上に配置する際に、この塗りつぶされた部分（例えば"１"とされた部分）を他の図形イメージ重畳しない部分であると判断する。なお、第２の実施形態で説明するように、各図形イメージの遠近を考慮し、この遠近を表現すべく、重畳係数を仮想的な奥行き方向距離を要素とする数値として、重畳係数（及び図形イメージ）を３ビット以上の多値ビットの集合とする場合もある。
【００２６】
（図形作成方法）
図３は、図１の図形作成装置を用いた図形作成方法をステップ順に示すフロー図である。
図４は、本実施形態の図形作成方法において、２つの図形イメージを一画像内でレイアウトする場合を例示する模式図である。
先ず、ステップ３０１において、複数の図形イメージのデータのそれぞれに割り当てる付随データとして重畳係数を作成しておく。ここでは、重畳係数は例えば２ビットデータである。従って、重畳係数の付与された図形イメージは、例えば図４（ａ），（ｂ）の図形イメージ４０２，４０３のようになる。
【００２７】
続いて、ステップ３０２において、本体１はイメージデータ格納部１０２内に図形イメージのデータが格納されているか否かを判断する。図形イメージのデータが格納されている場合には、ステップ３０３に進み、本体１は所望の図形イメージのデータを読み出す。一方、図形イメージのデータが格納されていない場合にはステップ３０９へ進み、図形作成処理を終了して最終図形を得る。
【００２８】
続いて、ステップ３０４において、配置データ生成部１０４は、図４（ａ）の画像４０１上で図形イメージ４０２と図形イメージ４０３とを仮配置する。仮配置する部位としては、例えば画像４０１内の中央部位に設定しても良い。仮配置した様子を図４（ｃ）の仮配置状態４０４として示す。
【００２９】
続いて、ステップ３０５において、配置データ生成部１０４は、画像４０１の全体で図形イメージ４０２と図形イメージ４０３との重畳の度合いを各重畳係数に基づいて算出する。算出方式としては、例えば、図形イメージ４０２，４０３の各重畳係数を加算した値と、仮配置状態における図形イメージ全体のビットデータ値との差分値を算出する。
【００３０】
続いて、ステップ３０６において、配置データ生成部１０４は、ステップ３０５における重畳の度合いの算出結果に基づき、図形イメージ４０２と図形イメージ４０３との間に重畳があるか、即ちここでは前記差分値が０であるか否かを判断する。前記差分値が０であれば、図形イメージ４０２と図形イメージ４０３との間に重畳はなく、当該仮配置状態が適正な配置状態であるため、ステップ３０７に進む。ステップ３０７において、配置データ生成部１０４は、当該仮配置状態を正規の配置状態であると判断する。
【００３１】
一方、前記差分値が０でない場合、図形イメージ４０２と図形イメージ４０３との間に重畳部分があるため、ステップ３０８に進む。ステップ３０８において、配置データ生成部１０４は、図形イメージ４０２と図形イメージ４０３とができるだけ重畳しないように、即ち前記差分値が最小値（理想的には０）となるように図形イメージ４０２と図形イメージ４０３とを相対的に移動させる。このときの様子を図４（ｄ）の移動状態４０５（画面の平面内で上下左右に移動させる）に示す。
【００３２】
ステップ３０７，３０８の後、ステップ３０２に戻り、再び本体１はイメージデータ格納部１０２内に他の図形イメージのデータが格納されているか否かを判断して、イメージデータ格納部１０２内に格納された図形イメージのデータがなくなるまでその後の各ステップを繰り返し実行し、ステップ３０９において最終図形を得る。
【００３３】
以上説明したように、本実施形態によれば、人手を要することなく各図形イメージを自動的に所期の部位へ配置することが可能となり、図形レイアウトの処理速度を効率良く大幅に向上させることができる。
【００３４】
−第２の実施形態−
本実施形態では、第１の実施形態と同様に図形作成装置の構成及び図形作成方法を開示するが、各図形イメージの遠近を考慮して図形レイアウトの処理を行う点で相違する。なお、第１の実施形態で説明した図形作成装置の構成要素などについては、同符号を記して詳述を省略する。
【００３５】
本実施形態による図形作成装置は、第１の実施形態による図１の構成と同様に構成される。本実施形態では、各図形イメージの遠近を考慮して、各図形イメージの付随データである重畳係数を各図形イメージの仮想的な奥行き方向距離を要素とする数値とする。この奥行き方向距離を要素とする重畳係数がより大きい図形イメージと重畳係数がより小さい図形イメージとの間に重畳部分が生じる場合には、前者の図形イメージが後者の図形イメージを重畳部分で遮蔽し、前者の図形イメージが後者の図形イメージの前方に位置するように配置される。
【００３６】
本実施形態では、奥行き方向距離を要素とする重畳係数を写真画像のように色の濃度から自動的に算出するように構成しても良い。この場合、図形作成装置は、図５に示すように、図１と同様の本体１０１、イメージデータ格納部１０２、付随データ格納部１０３、配置データ生成部１０４、データ入出力部１０５、表示装置１０６、入力装置１０７、及びプリンタ１０８を備え、更にこれらに加えて、３次元空間を仮想的に２次元画像で表現すべく、各図形イメージの画像濃度を用いて、各図形イメージの仮想的な奥行き方向距離を要素とする重畳係数を算出する重畳係数算出部１１０を備えて構成される。
【００３７】
本実施形態の図形作成装置を用いて図形作成を行うには、第１の実施形態と同様に図３のステップ３０１〜３０９を経て最終図形を得る。本実施形態では主に、各図形イメージができるだけ重畳しないように図形イメージを移動させるステップ３０８に特徴がある。
【００３８】
図６は、本実施形態の図形作成方法において、２つの図形イメージを一画像内でレイアウトする場合を例示する模式図である。以下、図３及び図６を参照して、本実施形態の図形作成方法について説明する。
【００３９】
先ず、ステップ３０１において、第１の実施形態と同様に予め複数の図形イメージのデータのそれぞれに割り当てる付随データとして重畳係数を作成しておくか、または重畳係数算出部１１０により、各図形イメージの画像濃度から仮想的な奥行き方向距離を要素とする重畳係数を算出し、付随データ格納部１０３に格納しておく。ここでは、仮想的な奥行き方向距離を要素とする重畳係数（３ビット以上の多値ビットデータ）により言わば重み付けが施され、近景を高画像濃度に、遠景を低画像濃度に対応させて、近景であるほど重畳係数は大きく、遠景であるほど重畳係数は小さい。重畳係数の付与された図形イメージは、例えば図６（ａ），（ｂ）の図形イメージ５０２，５０３のようになる。ここで、図形イメージ５０２では、最近景である５０２ａが画像濃度の最も高い図形イメージ部分であり、重畳係数を最も大きい値とする。図形イメージ部分５０２ａよりも遠景である５０２ｂが次に画像濃度の高い図形イメージ部分である。図形イメージ部分５０２ｂよりも遠景である５０２ｃが画像濃度の最も低い図形イメージ部分であり、重畳係数を最も小さい値とする。また、図形イメージ５０３では、最近景である５０２ａと同一距離である画像濃度の最も高い（重畳係数が最も大きい）図形イメージが示されている。
【００４０】
続いて、ステップ３０２において、本体１はイメージデータ格納部１０２内に図形イメージのデータが格納されているか否かを判断する。図形イメージのデータが格納されている場合には、ステップ３０３に進み、本体１は所望の図形イメージのデータを読み出す。一方、図形イメージのデータが格納されていない場合にはステップ３０９へ進み、図形作成処理を終了して最終図形を得る。
【００４１】
続いて、ステップ３０４において、配置データ生成部１０４は、図６（ａ）の画像５０１上で図形イメージ５０２と図形イメージ５０３とを仮配置する。仮配置する部位としては、例えば画像５０１内の中央部位に設定しても良い。仮配置した様子を図６（ｃ）の仮配置状態５０４として示す。
【００４２】
続いて、ステップ３０５において、配置データ生成部１０４は、画像５０１の全体で図形イメージ５０２と図形イメージ５０３との重畳の度合いを各重畳係数に基づいて算出する。算出方式としては、例えば、図形イメージ５０２，５０３の各重畳係数を加算した値と、仮配置状態における図形イメージ全体のビットデータ値との差分値を算出する。
【００４３】
続いて、ステップ３０６において、配置データ生成部１０４は、ステップ３０５における重畳の度合いの算出結果に基づき、図形イメージ５０２と図形イメージ５０３との間に重畳があるか、即ちここでは前記差分値が０であるか否かを判断する。前記差分値が０であれば、図形イメージ５０２と図形イメージ５０３との間に重畳はなく、当該仮配置状態が適正な配置状態であるため、ステップ３０７に進む。ステップ３０７において、配置データ生成部１０４は、当該仮配置状態を正規の配置状態であると判断する。
【００４４】
一方、前記差分値が０でない場合、図形イメージ５０２と図形イメージ５０３との間に重畳部分があるため、ステップ３０８に進む。ステップ３０８において、配置データ生成部１０４は、図形イメージ４０２と図形イメージ４０３とができるだけ重畳しないように、即ち前記差分値が最小値（理想的には０）となるように図形イメージ５０２と図形イメージ５０３とを相対的に移動させる。このとき、図４（ｄ）と同様に画面の平面内で上下左右に移動させる。
【００４５】
本実施形態では、最近景である図形イメージ５０３がこれよりも遠景である図形イメージ部分５０２ｂ，５０２ｃよりも前方へ位置するべく、図形イメージ５０３の重畳係数が図形イメージ部分５０２ｂ，５０２ｃの重畳係数よりも大きく規定されているため、例えば図形イメージ５０３と図形イメージ部分５０２ｂとの重畳部分では、前記差分値がより小さくなる図形イメージ５０３のデータが選択され、その結果として図形イメージ５０３が図形イメージ５０２ｂの前方に位置するように表現される。
【００４６】
ここで、ステップ３０８について、説明の便宜上、図形イメージ５０２に対して図形イメージ５０３を横方向に移動させる場合を例に採り、横方向における重畳の度合いを調べた結果を図７に示す。図７では、図６の重畳状態５０５に示す図形イメージ５０２に対する図形イメージ５０３の図中右方向への移動距離をｘとして、重畳の度合い（前記差分値）をｘの関数として示している。図示から、重畳の度合いはｘ１で最小値となることが判り、図形イメージ５０２に対する図形イメージ５０３の図中右方向への移動距離がｘ１となる位置に、図形イメージ５０２，５０３を配置すれば良い。
【００４７】
ステップ３０７，３０８の後、ステップ３０２に戻り、再び本体１はイメージデータ格納部１０２内に他の図形イメージのデータが格納されているか否かを判断して、イメージデータ格納部１０２内に格納された図形イメージのデータがなくなるまでその後の各ステップを繰り返し実行し、ステップ３０９において最終図形を得る。
【００４８】
以上説明したように、本実施形態によれば、近景の図形イメージが遠景の図形イメージの前方へ位置する様子を表現することをも考慮し、人手を要することなく各図形イメージを自動的に所期の部位へ配置することが可能となり、図形レイアウトの処理速度を効率良く大幅に向上させることができる。
【００４９】
−他の実施形態−
また、上述した実施形態１又は２のイメージ格納部１０２とイメージ情報格納部１０３とに格納された図形イメージと付随データは、ネットワーク等を介して外部装置から必要に応じて読み込んで表示するものであってもよい。例えば、外部装置１から図形イメージ１と付随データ１とを読み込み、外部装置２から図形イメージ２と付随データ２とを読み込んで、それら２つの図形イメージを表示する際、上述した実施形態の処理を行えば、各図形イメージを自動的に所期の部位へ配置することができる。また、できるだけ重ならないように配置されているので、その後に操作者が細かい位置の修正を行ないたい場合なども容易に操作できるようになる。
【００５０】
図１及び図５に示した図形作成装置を構成する各構成要素（イメージデータ格納部１０２、付随データ格納部１０３、配置データ生成部１０４、データ入出力部１０５、及び重畳係数算出部１１０）の機能、及び図３に示した本発明による図形作成方法を構成する各ステップ等は、コンピュータのＲＡＭやＲＯＭなどに記憶されたプログラムが動作することによって実現できる。このプログラム及び当該プログラムを記録したコンピュータ読み取り可能な記憶媒体は本発明の実施形態に含まれる。
【００５１】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フロッピー（登録商標）ディスク、ハードディスク、磁気テープ、光磁気ディスク、不揮発性メモリカード等を用いることができる。他方、上記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００５２】
また、コンピュータが供給されたプログラムを実行することにより上述の実施形態の機能が実現されるだけでなく、そのプログラムがコンピュータにおいて稼働しているＯＳ（オペレーティングシステム）あるいは他のアプリケーションソフト等と共同して上述の実施形態の機能が実現される場合や、供給されたプログラムの処理の全てあるいは一部がコンピュータの機能拡張ボードや機能拡張ユニットにより行われて上述の実施形態の機能が実現される場合も、かかるプログラムは本発明の実施形態に含まれる。
【００５３】
例えば、図８は、一般的なパーソナルユーザ端末装置の内部構成を示す模式図である。この図８において、１２００はコンピュータＰＣである。ＰＣ１２００は、ＣＰＵ１２０１を備え、ＲＯＭ１２０２またはハードディスク（ＨＤ）１２１１に記憶された、あるいはフロッピー（登録商標）ディスクドライブ（ＦＤ）１２１２より供給されるデバイス制御ソフトウェアを実行し、システムバス１２０４に接続される各デバイスを総括的に制御する。
【００５４】
上記ＰＣ１２００のＣＰＵ１２０１、ＲＯＭ１２０２またはハードディスク（ＨＤ）１２１１に記憶されたプログラムにより、本の実施形態の手段１〜５等の各手段の機能や、ステップ１〜５等の手順が実現される。
【００５５】
１２０３はＲＡＭで、ＣＰＵ１２０１の主メモリ、ワークエリア等として機能する。１２０５はキーボードコントローラ（ＫＢＣ）で、キーボード（ＫＢ）１２０９や不図示のデバイス等からの指示入力を制御する。
【００５６】
１２０６はＣＲＴコントローラ（ＣＲＴＣ）で、ＣＲＴディスプレイ（ＣＲＴ）１２１０の表示を制御する。１２０７はディスクコントローラ（ＤＫＣ）で、ブートプログラム（起動プログラム：パソコンのハードやソフトの実行（動作）を開始するプログラム）、複数のアプリケーション、編集ファイル、ユーザファイルそしてネットワーク管理プログラム等を記憶するハードディスク（ＨＤ）１２１１、及びフロッピー（登録商標）ディスク（ＦＤ）１２１２とのアクセスを制御する。
【００５７】
１２０８はネットワークインタフエースカード（ＮＩＣ）で、ＬＡＮ１２２０を介して、ネットワークプリンタ、他のネットワーク機器、あるいは他のＰＣと双方向のデータのやり取りを行う。
【図面の簡単な説明】
【００５８】
【図１】第１の実施形態による図形作成装置の概略構成を示す模式図である。
【図２】図形イメージの様子を示す模式図である。
【図３】図１の図形作成装置を用いた図形作成方法をステップ順に示すフロー図である。
【図４】第１の実施形態の図形作成方法において、２つの図形イメージを一画像内でレイアウトする場合を例示する模式図である。
【図５】第２の実施形態による図形作成装置の概略構成を示す模式図である。
【図６】第２の実施形態の図形作成方法において、２つの図形イメージを一画像内でレイアウトする場合を例示する模式図である。
【図７】図形イメージの重畳の度合いを図形イメージの横方向への相対的な移動距離の関数として示すグラフである。
【図８】パーソナルユーザ端末装置の内部構成を示す模式図である。
【符号の説明】
【００５９】
１０１  本体
１０２  イメージデータ格納部
１０３  付随データ格納部
１０４  配置データ生成部
１０５  データ入出力部
１０６  表示装置
１０７  入力装置
１０８  プリンタ
【図１】
2006154887.tif 000003
【図２】
2006154887.tif 000004
【図３】
2006154887.tif 000005
【図４】
2006154887.tif 000006
【図５】
2006154887.tif 000007
【図６】
2006154887.tif 000008
【図７】
2006154887.tif 000009
【図８】
2006154887.tif 000010